(57)【要約】【課題】従来の仰臥用と座位用に兼用できる書見台はあるが、立位用にも使用できるものはなかつた。また兼用のものを仰臥用として使用する場合、重心が書見台の中心にないため、不安定で転倒しやすかつた。また、ページホルダーで本を支えているため、本が書見台から外れやすかつた。更に、仰臥用と座位用の使用の切り替えに手間がかかり面倒であり、また、ページ押えの部品が紛失する恐れがあつた。また仰臥用のものを座位用に使用する場合も手間がかかり面倒であつた。【解決手段】ページ押えを具備した載置板と脚台と傾斜支え杆で構成し、載置板の向きを、斜め上方から斜め下方に調節且つ設定可能にした。【選択図】図１
2006255344.tif 000002
【特許請求の範囲】
【請求項１】
ページ押え（３）を具備した載置板（１）と支持杆（４）と脚台（７）と傾斜支え杆（６）で構成し、載置板（１）の向きが、斜め上方から斜め下方に調節且つ設定可能である書見台。
【請求項２】
載置板（１）と支持杆（４）の取り付けと、支持杆（４）と脚台（７）の取り付けと、支持杆（４）と傾斜支え杆（６）の取り付けが、回動自在である請求項１記載の書見台。
【請求項３】
支持杆（４）に取り付けた傾斜支え杆（６）が、回動、摺動自在である請求項１記載の書見台。
【請求項４】
支持杆（４）に取り付けた傾斜支え杆（６）が、着脱自在である請求項１記載の書見台。
【請求項５】
載置板（１）の載部（８）下部に支持杆（４）と脚（９）を設け、支持杆（４）に傾斜支え杆（６）を着脱自在に取り付けた請求項１記載の書見台。
【請求項６】
支持杆（４）が蛇腹部材（１３）である請求項１記載の書見台。
【請求項７】
支持杆（４）と傾斜支え杆（６）をリクライニング金具（１０）を介して取り付けた請求項１記載の書見台。
【請求項８】
板（１１）の上部に載置板（１）を形成し、板（１１）の中段に取付孔（１２）を穿設し、その取付孔（１２）に傾斜支え杆（６）を挿通した書見台。
【請求項９】
脚台（７）の両側に支持杆（４）を設け、その支持杆（４）に載置板（１）を回動自在に取り付け、脚台（７）の前後に傾斜支え杆（６）を設けた請求項１記載の書見台。
【請求項１０】
ページ押え（３）が透明であることを特徴とする請求項１〜９記載の、いずれか１項記載の書見台。
【発明の詳細な説明】
【技術分野】
【０００１】  本発明は、仰臥用と座位用と立位用に使用することができる書見台に関する。
【背景技術】
【０００２】  従来の仰臥用の書見器や座位用の書見台は、各種のものが知られている。仰臥用の書見器を座位用に使用することができるものもある。又、両方を兼用したものには、座位用の書見台にパイプ製のスタンドを連結したものがある。（例えば、特許文献１参照。）しかし、立位で使用できるものや、列車等の座席で使用できるものは未だない。【０００３】  以下、図１５、１６により従来の仰臥用と座位用兼用の書見台について説明する。図において、図１５は座位用の書見台を仰臥用で使用する場合を示している。立設したスタンドと書見台をジョイントパイプで継ぎ、書見台を傾斜させて使用する。載置した本はＳ字型ホルダーで頁を保持している。【０００４】  又、図１６により従来の仰臥用の書見器を座位用に使用したものを説明する。図１６は、載置板を自在杆と取付金具を介して、枠体に取り付け使用するものである。主として、仰臥用に使用するものであるが、載置板の角度を調整して、座位用に使用することができる。【０００５】
【特許文献１】  特開２００３−３３９４５２号公報
【非特許文献１】  朝日新聞朝刊広告２００５．２．２３
【発明の開示】
【発明が解決しようとする課題】
【０００６】  以上に述べた従来の仰臥用と座位用兼用の書見台では、特に仰臥用として使用する場合には、重心が書見台の中心にないため、不安定で転倒しやすかつた。また、ページホルダーで本を支えているため、本が書見台から外れやすかつた。更に、仰臥用と座位用の切り替えに手間がかかり面倒であり、また、ページ押えの部品が紛失する恐れもあつた。【０００７】  また、仰臥用のもを使用する場合、ベツトの枠に取り付けるか、図１６に示すように、枠体に取り付けて使用するので、どこででもというわけにはいかず、取り扱いが面倒であつた。【０００８】  本発明は、このような従来の構成が有していた問題を解決しようとするものであり、安定に設置でき、ページ押えを書見台に取り付けているので、ページ押さえを紛失することがなく、また、ページ押えで本の保持を十分にでき、更に、仰臥用と座位用の使用の切り替えが容易にでき、どこででも容易に使用できる仰臥用と座位用、更に立位や列車等の座席で利用可能な書見台を実現することを目的とするものである。
【問題を解決するための手段】
【０００９】  そして、本発明は上記目的を達成するためにページ押えを具備した載置板と支持杆と脚台と傾斜支え杆で構成し、載置板の向きが、斜め上方から斜め下方に調節且つ設定可能としたものである。
【００１０】  ページ押えは、ページを保持すると同時に、本が書見台から外れないように本全体を保持するためのものであり、小さくてはページが捲り上がつたり、本が外れて落下する恐れがある。また、大き過ぎる場合は、ページを捲りずらくなる。本発明のページ押えは透明な材質で形成しているので、活字が見えずらくなることはない。又、本を読んでいく過程で、ページが少なく薄くなつた場合、サイズ調整板を動かして、ページ押えで本を充分に押えることができるので、ページの捲き上がりや本の落下を防止できる。
【００１１】  傾斜支え杆は、書見台の立設を支えると共に、書見台の傾斜角度を調節するためのものである。書見台の傾斜を調節したいときは、傾斜支え杆を動かして調節するとよい。
【００１２】  載置板の傾斜の向きを、斜め上方と斜め下方に切り替える方法は、載置板と支持杆の取り付けと、支持杆と脚台の取り付けと、支持杆と傾斜支え杆の取り付けが回動自在とする。また、支持杆に取り付けた傾斜支え杆が回動、摺動自在とする。また、支持杆に取り付けた傾斜支え杆が着脱自在とする。更に、載置板の載部下部に支持杆と脚を設け、支持杆に傾斜支え杆を着脱自在に取り付ける。
【００１３】また、支持杆を蛇腹部材として、支持杆を手で曲折して載置板の傾斜の向きを切り替えるとよい。更に支持杆と傾斜支え杆をリクライニング金具を介して取り付け、リクライニング機構を動作させて載置板の傾斜の向きを切り替えるとよい。
【００１４】また、板の上部に載置板を形成し、板の中段に取付孔を穿設し、その取付孔に傾斜支え杆を挿通する。載置板の傾斜の向きを切り替えるときは、挿通した傾斜支え杆を抜いて、反対側から挿通して使用するとよい。
【００１５】また、脚台の両側に支持杆を設け、その支持杆に載置板を回動自在に取り付け、脚台の前後に傾斜支え杆を設ける。
【発明の効果】
【００１６】  上述したように本発明の仰臥用と座位用、更に、立位や列車等の座席で利用可能な書見台は、構造上、重心と中心が一致しているので転倒することはなく、安定して使用できる書見台を提供できる。
【００１７】  また、サイズ調整板の調整により、常に最適の状態でページを押えることが可能になり、よつて、本を保持し易くなり、外れがなくなる効果を発揮するものである。また、ページ押えは書見台に取り付けてあるので紛失することはなくなつた。
【００１８】  仰臥用と座位用の切り替えが、一行程〜二行程の操作であるので、容易に使用することができるようになつた。また、立位や列車等の座席では、別途用意した紐で吊りさげるだけで使用できる。仰臥用、座位用、立位用いずれも容易に使用することができる。
【発明を実施するための最良の形態】
【００１９】  以下、本発明の実施の形態を図１〜図１４に基づいて説明する。【００２０】  実施例１のものを、図１、２、３に基づいて説明する。１は本を載せる載置板で、載置板１は長方形且つ断面Ｌ字形状を形成し、下部は載部８となつており、載部８の端部にクリツプ５を２コ固着している。クリツプ５は本をとめるもので、長方形状を形成し、載部８の前側端部の適宜の位置に固着している。【００２１】  ２は、サイズ調整板で、前側にページ押え３を設け、後部側にスライド板１４を重ねて設けている。ページ押え３は四角形状を形成し、透明なプラスチツク材で作られ、サイズ調整板２に取り付けている。また、載置板１の裏側に配置したスライド板１４の中心横方向にスライド溝１５を形成し、載置板１に穿設した三箇所の取付孔とスライド溝１５をビス１６と蝶ナツト１７で取り付け、二枚のスライド板１４が、スライド溝１５に沿つて夫々左右に摺動可能としている。【００２２】  ４は、支持杆で、長方形状をしている。支持杆４の一端は載置板１の取付具１８に蝶ナツト１９とビス２０で回動自在に取り付けている。６は、傾斜支え杆で、長方形状を形成し、支持杆４に蝶ナツト２１とビス２２で取り付け、摺動自在としている。７は、脚台で、Ｔ字形状を形成し、脚台７に脚９を末広がりに設けている。脚台７の端部に取付具２３を設け、支持杆４に蝶ナツト２４とビス２５で回動自在４に取り付けている。【００２３】  実施例２のものを、図４に基づいて説明する。支持杆４は断面円形形状の丸棒である。傾斜支え杆６は長方形状の板状である。傾斜支え杆６の端部に取付孔を穿設し、その取付孔に支持杆４を挿通し、回動，摺動自在としている。支持杆４を１８０度回すと載置板１の傾斜向きを変えることができる。また、支持杆４に沿つて上下に傾斜支え杆６摺動させれば、傾斜角度を調節することができる。【００２４】  実施例３のものを、図５に基づいて説明する。支持杆４は、長方形状の板状で、中央部に取付孔を穿設している。この取付孔に、断面円形形状の丸棒の傾斜支え杆６を着脱自在に挿通して書見台を傾斜して立設することができる。傾斜支え杆６を反対側から挿通すると、載置板１の向きを変えることができる。また取付孔に挿通する傾斜支え杆６の挿通の程度によつて傾斜角度を調節できる。【００２５】  実施例４のものを、図６に基づいて説明する。載置板１の載部８の下部両側に、末広がりに脚９を設け、更に下部中央部に取付孔を穿設した支持杆４を設け、その取付孔に断面円形形状の丸棒の傾斜支え杆を着脱自在に挿通している。【００２６】  実施例５のものを、図７に基づいて説明する。載部８下部中央部に設けた支持杆４は丸棒で、長方形板状の傾斜支え杆６の端部に穿設した取付孔に、支持杆４を着脱自在に挿通している。【００２７】  実施例６のものを、図８に基づいて説明する。支持杆４が蛇腹部材１３のものである。手で曲折すれば、載置板１の向きを変えることができる。【００２８】  実施例７のものを、図９に基づいて説明する。支持杆４と傾斜支え杆６をリクライニング金具１０を介して取り付けている。支持杆４を手で倒して、リクライニング機構により載置板１の向きを変えることができる。【００２９】  実施例８のものを、図１��に基づいて説明する。板１１の上部に載置板１を形成し、中部に取付孔を穿設し、その取付孔に丸棒の傾斜支え杆６を着脱自在に挿通している。【００３０】  実施例９のものを、図１１に基づいて説明する。四角形の板状の脚台７の両側中央部に支持杆４を立設し、載置板１を蝶ナツト２６とビスで回動自在に取り付けている。また脚台７の前後に丸棒の傾斜支え杆６を立設している。載置板１を前後に倒して、傾斜支え杆６で止めて向きを変えて使用する。【００３１】  以下、上記構成の作用を説明する。書見台を仰臥用として使用する場合、図１２に示すように、胸部と腹部の上部に置いて、載置板１が斜め下方に傾斜するように、取付部の蝶ナツト１９、２１、２３を緩め調節して固定して使用する。また傾斜支え杆６で載置板１の向きを変えるものは、図４の斜線で示すように、支持杆４が載置板１の前側になるようにすると、仰臥状態に好適に載置板１の向きを設定することができる。実施例６，７のものは、手で自在に操作して仰臥状態に載置板１を傾斜することができる。実施例９のものは、蝶ナツト２６を緩め載置板１を仰臥状態に設定する。書見台を座位用として使用する場合、図１３に示すように、机や床に置いて、載置板１が斜め上方に傾斜させて設定して使用する。また図４、５、６、７に示すように、傾斜支え杆６が載置板１の後方になるように設定すると、座位用として使用することができる。また書見台を立位用として使用する場合、図１４に示すように、胸部から腹部に沿つて紐２７で首に吊つて使用する。更に書見台を仰臥用として使用する場合、本の落下防止のため、スライド板１４と一体となつた長方形状で透明なページ押え３を具備したサイズ調整板２が、本のサイズに合わせて調整する。
【図面の簡単な説明】
【００３２】
【図１】実施例１の正面図
【図２】実施例１の側面図
【図３】実施例１の載置板の背面図
【図４】実施例２の斜視図
【図５】実施例３の一部を省略した斜視図
【図６】実施例４の一部を省略した斜視図
【図７】実施例５の一部を省略した斜視図
【図８】実施例６の一部を省略した斜視図
【図９】実施例７の一部を省略した斜視図
【図１０】実施例８の一部を省略した斜視図
【図１１】実施例９の一部を省略した斜視図
【図１２】使用状態を示す参考図
【図１３】使用状態を示す参考図
【図１４】使用状態を示す参考図
【符号の説明】
【００３３】１    載置板                            １１  板
２    サイズ調整板                      １２  取付孔
３    ページ押え                        １３  蛇腹部材
４    支持杆
５    クリツプ
６    傾斜支え杆
７    脚台
８    載部
９    脚
１０  リクライニング金具
【図１】
2006255344.tif 000003
【図２】
2006255344.tif 000004
【図３】
2006255344.tif 000005
【図４】
2006255344.tif 000006
【図５】
2006255344.tif 000007
【図６】
2006255344.tif 000008
【図７】
2006255344.tif 000009
【図８】
2006255344.tif 000010
【図９】
2006255344.tif 000011
【図１０】
2006255344.tif 000012
【図１１】
2006255344.tif 000013
【図１２】
2006255344.tif 000014
【図１３】
2006255344.tif 000015
【図１４】
2006255344.tif 000016
【図１５】
2006255344.tif 000017
【図１６】
2006255344.tif 000018
【手続補正書】
【提出日】平成17年5月20日(2005.5.20)
【手続補正１】
【補正対象書類名】明細書
【補正対象項目名】００３２
【補正方法】変更
【補正の内容】
【００３２】
【図１】実施例１の正面図
【図２】実施例２の側面図
【図３】実施例１の載置板の背面図
【図４】実施例２の斜視図
【図５】実施例３の一部を省略した斜視図
【図６】実施例４の一部を省略した斜視図
【図７】実施例５の一部を省略した斜視図
【図８】実施例６の一部を省略した斜視図
【図９】実施例７の一部を省略した斜視図
【図１０】実施例８の一部を省略した斜視図
【図１１】実施例９の一部を省略した斜視図
【図１２】使用状態を示す参考図
【図１３】使用状態を示す参考図
【図１４】使用状態を示す参考図
【図１５】従来の書見台の斜視図
【図１６】従来の書見台の斜視図